(57)【要約】【課題】  屋根に設ける雪止めアングルを装着する金具において、アングル装着作業効率に優れている板バネによるアングル保持手段を採用した際に生ずる、使用アングルの規格相違（厚味の相違）によるバネ挟持力の変動の課題を解決した金具を提供する。【解決手段】  屋根への装着部１とアングル止着部２とを備え、アングル止着部２が、アングルを差し入れる嵌入部２３と、嵌入部内に差し入れられアングル板部を押圧する板バネ２５を備えてなる屋根用雪止め金具において、板バネの基部を片もち支持状態に支持している部位に、板バネの押圧方向に板バネ基部を押し出す押圧ネジ２６を設けて、押圧ネジ２６の螺合調整によって、板バネ２５の嵌入部２３内の張り出し位置を調整し、装着するアングルＡの厚みの変化に対応する。【選択図】図２
2006037439.tif 000002
【特許請求の範囲】
【請求項１】
屋根への装着部とアングル止着部とを備え、アングル止着部が、アングルを差し入れる嵌入部と、嵌入部内に差し入れられアングル板部を押圧する板バネを備えてなる屋根用雪止め金具において、板バネの基部を片もち支持状態に支持している部位に、板バネの押圧方向に板バネ基部を押し出す押圧ネジを設けてなることを特徴とする屋根用雪止め金具。
【請求項２】
嵌入部が、載置部と板バネを付設した頂板部で構成して、アングルの水平板部分を保持するようにした請求項１記載の屋根用雪止め金具。
【請求項３】
嵌入部が、受板部と板バネを付設した背面板部で構成して、アングルの鉛直板部分を保持するようにした請求項１記載の屋根用雪止め金具。
【請求項４】
板バネの基部を頂板部又は背面板部の端縁をクリップするコの字状に形成すると共に、嵌入部外側に位置する板バネ端縁部分に押圧ネジ挿通孔を設け、前記挿通孔に対応する位置の頂板部又は背面板部に押圧ネジの螺孔を設けてなる請求項２又は３記載の屋根用雪止め金具。
【発明の詳細な説明】
【技術分野】
【０００１】
本発明は、屋根からの落雪を防止する雪止め金具に関するものである。
【背景技術】
【０００２】
雪止め金具は、種々の構造のものが知られているが、雪止めアングルを使用する器具においては、基本的に屋根装着部と、アングルを装着するアングル止着部から構成されており、またアングル止着部には、雪止めアングルが離脱しないような適宜な処置が施されている。
【０００３】
例えば実開昭５８−６７０２２号公報には針金での離脱防止手段が開示されており、特開昭５８−１６８４４７号公報には二個の帯金を連結することでの離脱防止手段が開示されており、実開昭６３−５１０３３号公報には折曲可能な薄金属板での離脱防止手段が開示されている。
【０００４】
また前記のアングル止着作業を簡素化する手段として、実用新案登録第２５０３２８５号公報（特許文献１）及び登録実用新案第３０１８７２１号公報（特許文献２）には、雪止め用のアングルの水平板を装着するアングル嵌入部内に、アングルを載置側に押圧する板バネを設けて、アングル水平板部分を挟圧保持することが開示されている。
【０００５】
更に実用新案登録第２５１５２９６号公報（特許文献３）には、雪止め用のアングルの鉛直板を装着するアングル嵌入部内に、アングルを軒先側受板に押圧する板バネを設けて、アングル鉛直板部分を挟圧保持することが開示されている。
【０００６】
【特許文献１】実用新案登録第２５０３２８５号公報。
【特許文献２】登録実用新案第３０１８７２１号公報。
【特許文献３】実用新案登録第２５１５２９６号公報。
【発明の開示】
【発明が解決しようとする課題】
【０００７】
前記した板バネを採用するアングル保持手段は、アングル装着作業を簡単に行うことができるが、アングルの規格にはその厚さについて厚薄があり、板バネの弾性力を厚いアングル装着を基準にすると、薄いアングルを採用すると挟圧力が不足することになり、逆に薄いアングルの装着を基準にすると、厚いアングルが装着し難いことになる。
【０００８】
更にアングルを横方向に連続して繋いでいく場合には、金具部分でアングルを重ね合わせて、一緒に保持することがあり、板バネによるアングル保持手段を採用した場合に対応できない。
【０００９】
そこで本発明は、アングル装着作業効率に優れている板バネによるアングル保持手段を採用すると共に、当該板バネに位置調整構造を付加することを提案したものである。
【課題を解決するための手段】
【００１０】
本発明に係る屋根用雪止め金具は、屋根への装着部とアングル止着部とを備え、アングル止着部が、アングルを差し入れる嵌入部と、嵌入部内に差し入れられアングル板部を押圧する板バネを備えてなる屋根用雪止め金具において、板バネの基部を片もち支持状態に支持している部位に、板バネの押圧方向に板バネ基部を押し出す押圧ネジを設けてなることを特徴とするものである。
【００１１】
従って押圧ネジを捻じ込むと板バネの基部を圧することになり、嵌入部内における板バネのアングル挟持位置が変化する。即ちアングル板部の差込空間の幅を調整することができるもので、アングル板部の厚みに対応して適宜に調整した後に、アングル板部を嵌入部に強く差し込むと、板バネの作用で、アングル板部が強く挟持されて、雪止めアングルを金具に保持させるものである
【００１２】
また本発明（請求項４）は、アングルの水平板部分を保持するように、嵌入部を載置部と板バネを付設した頂板部で構成したり、アングルの鉛直板部分を保持するように、嵌入部が、受板部と板バネを付設した背面板部で構成した金具において、板バネの基部を頂板部又は背面板部の端縁をクリップするコの字状に形成すると共に、嵌入部外側に位置する板バネ端縁部分に押圧ネジ挿通孔を設け、前記挿通孔に対応する位置の頂板部又は背面板部に押圧ネジの螺孔を設けてなるものである。
【００１３】
従って、特に板バネをアングル止着部に固定することなく、板バネの挟持位置の調整を行う押圧ネジで板バネを装着することができるので、板バネによるアングル保持手段を採用していない金具にも本発明を容易に適用できる。
【発明の効果】
【００１４】
本発明は上記構成を採用したものであるから、押圧ネジの螺合調整でアングルを挟持する板バネの位置調整（挟持位置）ができるので、アングルの厚さが相違する場合であっても、最適なバネ挟持を実現できるものである。
【発明を実施するための最良の形態】
【００１５】
次に本考案の実施形態について説明する。図１及び図２は本発明の第一実施形態（第一実施例）で、この雪止め金具は、従前の金具と同様に屋根への装着部１とアングル止着部２とを備えている。
【００１６】
装着部１は取り付け対象である屋根の構造に対応した形状、例えば横葺き屋根の場合は、その屋根板の形状と一致せしめた薄金属板１１でその本体を形成し、本体１１の適宜な個所に釘孔１２を設けたものである。また一方雪止めアングルＡの止着部２は雪止めアングルをΓ状に載置する載置部２１と載置部２１の上方に位置せしめた頂板部２２とで嵌入部２３を形成すると共に、装着部１と連結する連結部２４を設けたものである。
【００１７】
前記の嵌入部２３内には、雪止めアングルＡを装着した際のアングル抜け止め作用をなす板バネ２５を設けたものである。板バネ２５は、その基部を頂板部２２の端縁をクリップするコの字状に形成すると共に、頂板部２２の端縁に装着した際に、嵌入部外側に位置する板バネ端縁部分に、押圧ネジ２６の挿通孔２７を設けてなる。
【００１８】
また、前記挿通孔２７に対応する位置の頂板部２２に押圧ネジ２６の螺孔２８を設けて、頂板部２２の端縁に板バネ２５を装着した後に、押圧ネジ２６を螺孔２８に螺合して、板バネ２５が頂板部２２から外れないようにしたものである。
【００１９】
而して本考案の金具を屋根に取り付けた後、雪止めアングルＡをΓ状態でその水平板部ａを嵌入部２３に強く差し込むと、板バネ２５の押圧部２５ａと載置部２１とで挟持され雪止めアングルＡを堅固に挟持することになる。
【００２０】
特に前記アングルＡより薄いアングルを採用する場合には、押圧ネジ２６を捻じ込み、板バネ２５の基部を下方に圧して、板バネ２５の挟持部分（押圧部２５ａ）の位置を載置部２１に近づけると、薄いアングルに対しても充分な挟持力を備えることになる。
【００２１】
また本発明は、図３（第二実施例）に例示するとおり、頂板部２２Ａの後方部分を立ち上げて、当該立ち上げ部分に板バネ端部を固着して、アングルＡをＬ状に使用し、下方に位置することになるアングル水平板部を、載置部２１と板バネ２５の間に圧入する装着構造を採用しても良い。
【００２２】
更に本発明は、図４，５に例示（第二実施形態：第三実施例）するとおり、雪止め金具を、雪止め板３と、雪止め板３に装着した装着部４と、雪止め板３に付設したアングル止着部５とで構成し、アングルＡの鉛直板部ｂを挟持するようにした金具においても適用できるものである。
【００２３】
装着部４は、嘴状の上下部位を備えた挟持部４１と、挟持部４１の締め付けを行うボルト４２，ナット４３で構成され、横葺き屋根の端縁を挟持する公知の構造であり、またアングル止着部５も特許文献３に開示されている通り、アングル水平板部の載置部５１と、アングル鉛直板部の嵌入部５２を備えたものである。
【００２４】
そして嵌入部５２が、受板部５３と背面板部５４で構成され、且つ嵌入部５２内には、雪止めアングルＡの鉛直板部ｂを装着した際のアングル抜け止め作用をなす板バネ５５を設けたものである。この板バネ５５は前記した第一実施例と同様に、その基部を背面板部５４の上端縁をクリップするコの字状に形成すると共に、背面板部５４の端縁に装着した際に、嵌入部外側に位置する板バネ端縁部分に、押圧ネジ５６の挿通孔を設けてなる。
【００２５】
また、前記挿通孔に対応する位置の背面板部５４に押圧ネジ５６の螺孔を設け、背面板部５４の端縁に板バネ５５を装着した後に、押圧ネジ５６を螺孔に螺合して、板バネ５５が背面板部５４から外れないようにしたものである。
【００２６】
従って押圧ネジ５６の螺合位置によって、板バネ５５の嵌入部５２内の張り出し位置を調整でき、装着アングルＡの厚みの変化に対応できるものである。
【００２７】
勿論本発明は前記実施形態（実施例）に限定されるものではなく、アングルの装着形態に対応して嵌入部の構造が定められるものであり、更に屋根装着部の構造も全く任意に定めることができるものである。
【図面の簡単な説明】
【００２８】
【図１】本発明の第一実施形態（第一実施例）全体斜視図。
【図２】同アングル装着状態の説明図。
【図３】同第二実施例のアングル装着状態の説明図。
【図４】同第二実施形態（第三実施例）全体斜視図。
【図５】同アングル装着状態の説明図。
【符号の説明】
【００２９】
１，４          装着部
１１            薄金属板
１２            釘孔
４１            挟持部
４２            ボルト
４３            ナット
２，５          止着部
２１，５１      載置部
２２，２２Ａ    頂板部
２３，５２      嵌入部
５３            受板部
５４            背面板部
２４            連結部
２５，５５      板バネ
２６，５６      押圧ネジ
２７            挿通孔
２８            螺孔
３              雪止め板
【図１】
2006037439.tif 000003
【図２】
2006037439.tif 000004
【図３】
2006037439.tif 000005
【図４】
2006037439.tif 000006
【図５】
2006037439.tif 000007